(57)【要約】  本発明は運動エネルギーロッド弾頭に関するものであり、当該運動エネルギーロッド弾頭は、複数の異なるサイズの発射体を含む発射体コアと、当該コアの周囲に設けた炸薬と、当該炸薬用の少なくとも一つの起爆装置とを具備してなる。
2008512642.tif 000002
【特許請求の範囲】
【請求項１】
運動エネルギーロッド弾頭であって、
複数の異なるサイズの発射体を含む発射体コアであって、
兵器弾頭に対する破壊力を増大させるよう選択された所定の形状を有する、多数の小型発射体と、
前記小型発射体と相似であると共に小型爆弾弾頭に対する破壊力を増大させるよう選択された形状を有する、少数の大型発射体と、を具備してなる発射体コアと、
前記小型発射体および前記大型発射体を散開させるための炸薬と、
前記炸薬用の少なくとも一つの起爆装置と、
を具備してなることを特徴とする運動エネルギーロッド弾頭。
【請求項２】
前記小型発射体の数は、前記発射体の飛散パターン密度を増大させるよう選択されてなることを特徴とする請求項１に記載の運動エネルギーロッド弾頭。
【請求項３】
前記大型発射体の数は、前記発射体の飛散パターン密度を低減させるよう選択されてなることを特徴とする請求項２に記載の運動エネルギーロッド弾頭。
【請求項４】
前記小型発射体は前記コアの外側領域の近傍に配置されてなると共に、前記大型発射体は前記コアの中心領域の近傍に配置されてなることを特徴とする請求項１に記載の運動エネルギーロッド弾頭。
【請求項５】
前記複数の異なるサイズの発射体は、約７０パーセントを占める小型発射体と、約３０パーセントを占める大型発射体とを具備してなることを特徴とする請求項１に記載の運動エネルギーロッド弾頭。
【請求項６】
各大型発射体の質量は、小型発射体のそれぞれの質量よりも大きなものであることを特徴とする請求項１に記載の運動エネルギーロッド弾頭。
【請求項７】
前記発射体の全ては十字形断面を有するものであることを特徴とする請求項１に記載の運動エネルギーロッド弾頭。
【請求項８】
前記大型発射体および前記小型発射体は、両者間の空隙が最小となるように、前記コア内に稠密装填されていることを特徴とする請求項７に記載の運動エネルギーロッド弾頭。
【請求項９】
前記発射体の全てはタングステンからなるものであることを特徴とする請求項１に記載の運動エネルギーロッド弾頭。
【請求項１０】
前記小型発射体のそれぞれは、略５０グラム未満の重量を有するものであることを特徴とする請求項７に記載の運動エネルギーロッド弾頭。
【請求項１１】
前記小型発射体のそれぞれは、略２８グラムの重量を有するものであることを特徴とする請求項１０に記載の運動エネルギーロッド弾頭。
【請求項１２】
前記発射体は六角形状を有するものであることを特徴とする請求項１に記載の運動エネルギーロッド弾頭。
【請求項１３】
前記発射体は円柱形断面を有するものであることを特徴とする請求項１に記載の運動エネルギーロッド弾頭。
【請求項１４】
前記発射体は非円柱形断面を有するものであることを特徴とする請求項１に記載の運動エネルギーロッド弾頭。
【請求項１５】
前記発射体は星形断面を有するものであることを特徴とする請求項１に記載の運動エネルギーロッド弾頭。
【請求項１６】
前記発射体は平坦な端部を有するものであることを特徴とする請求項１に記載の運動エネルギーロッド弾頭。
【請求項１７】
前記発射体は非平坦ノーズを有するものであることを特徴とする請求項１に記載の運動エネルギーロッド弾頭。
【請求項１８】
前記発射体は尖ったノーズを有するものであることを特徴とする請求項１に記載の運動エネルギーロッド弾頭。
【請求項１９】
前記発射体はクサビ形状を有するものであることを特徴とする請求項１に記載の運動エネルギーロッド弾頭。
【請求項２０】
前記発射体は立方体形状のものであることを特徴とする請求項１に記載の運動エネルギーロッド弾頭。
【請求項２１】
前記発射体は三次元的テトリス(tetris)形状を有するものであることを特徴とする請求項１に記載の運動エネルギーロッド弾頭。
【発明の詳細な説明】
【技術分野】
【０００１】
本発明は運動エネルギーロッド弾頭における改良に関する。
【背景技術】
【０００２】
破壊(Destroying)ミサイル、航空機、再突入体(re-entry vehicles)および他の標的は三つの基本的類に収まる。すなわち、「ヒット・トゥ・キル(hit-to-kill)」飛体(vehicles)、爆裂片形成弾頭(blast fragmentation warheads)、および運動エネルギーロッド弾頭である。
【０００３】
「ヒット・トゥ・キル」飛体は、通常、たとえばPatriot、THAADまたは標準Block IVミサイルのようなミサイルによって再突入体または他の標的に接近した位置へと発射される。キル飛体(kill vehicle)は操縦可能であり、しかも再突入体を作動不能にするようそれに一撃を加えるよう設計される。だが、「ヒット・トゥ・キル」飛体を回避するために対抗手段が使用されることもある。その上、生物戦小型爆弾(biological warfare bomblets)および化学戦兵器弾頭(chemical warfare submunition payloads)が敵によって運ばれ、しかも一つ以上のこれら小型爆弾または化学兵器弾頭が生き残ることがあり、「ヒット・トゥ・キル」飛体が正確にこの標的を撃破した場合でさえ甚大な損害を引き起こす。
【０００４】
爆裂片形成型弾頭は現存するミサイルによって運ばれるよう設計される。爆裂片形成型弾頭は、「ヒット・トゥ・キル」飛体とは異なり操縦できない。代わりに、ミサイルキャリアが敵ミサイルまたは他の標的に接近した位置に達したとき、弾頭の予め加工された(pre-made)金属帯が爆裂させられ、そして金属片が高速まで加速されて標的に衝突する。だが、破片は標的を破壊するのに常に有効とは限らず、やはり生物小型爆弾および／または化学兵器弾頭が生き残り、甚大な損害を生じることがある。
【０００５】
本発明者であるR.Lloydによる教本(「Conventional Warhead Systems Physics and Engineering Design」、Progress in Astronautics and Aeronautics(AIAA) Book Series、Vol.179、ISBN 1-56347-255-4、1998年(この引用によって本明細書に組み込まれる))は、「ヒット・トゥ・キル」飛体および爆裂片形成型弾頭に関する、さらなる細部を開示している。この教本の第５章では運動エネルギーロッド弾頭を提案している。
【０００６】
運動エネルギーロッド弾頭の二つの主要な利点は次のようなものである。１)それは「ヒット・トゥ・キル」飛体を用いた場合のように正確なナビゲーションに依存しない。２)それは爆裂片形成型弾頭よりも侵徹力に優れる。
【０００７】
だが、現在まで、運動エネルギーロッド弾頭は広く受け容れられておらず、それらはまた依然として展開されていないか完全な設計とはなっていなかった。理論的な運動エネルギーロッド弾頭に関係する主要なコンポーネントは、ハルと、多数の別個の長尺な円柱形発射体を含むハル内の発射体コアすなわちベイと、誘爆シールドを備えた発射体ベイを取り囲むハル内の炸薬である。炸薬が起爆させられた際に発射体が散開させられる。
【０００８】
だが円柱形発射体は、その散開時に、損傷しかつ／または回転する。さらに他の発射体は、それが有効に標的を貫通しないような大きな傾斜角度で標的に接近することがある。「Aligned Rod Lethality Enhanced Concept for Kill Vehicles(R.Lloyd著、「Aligned Rod Lethality Enhancement Concept For Kill Vehicles」 10th AIAA/BMDD TECHNOLOGY CONF.、7月23〜26日、Williamsburg、Virginia、2001年)」を参照されたい(この引用によって本明細書に組み込まれる)。
【非特許文献１】R.Lloyd著、「Conventional Warhead Systems Physics and Engineering Design」、Progress in Astronautics and Aeronautics(AIAA) Book Series、Vol.179、ISBN 1-56347-255-4、1998年
【非特許文献２】R.Lloyd著、「Aligned Rod Lethality Enhancement Concept For Kill Vehicles」 10th AIAA/BMDD TECHNOLOGY CONF.、7月23〜26日、Williamsburg、Virginia、2001年
【発明の開示】
【発明が解決しようとする課題】
【０００９】
それゆえ本発明の目的は改良された運動エネルギーロッド弾頭を提供することである。
【００１０】
本発明のさらなる目的は、より破壊力に優れた運動エネルギーロッド弾頭を提供することである。
【００１１】
本発明のさらなる目的は、発射体が散開された際に発射体を整列させる、その内部の構造体を備えた運動エネルギーロッド弾頭を提供することである。
【００１２】
本発明のさらなる目的は、発射体を選択的に標的に向けることができるような運動エネルギーロッド弾頭を提供することである。
【００１３】
本発明のさらなる目的は、発射体が散開された際に発射体が損傷するのを防止するような運動エネルギーロッド弾頭を提供することである。
【００１４】
本発明のさらなる目的は、発射体が散開された際に発射体が回転するのを防止するような運動エネルギーロッド弾頭を提供することである。
【００１５】
本発明のさらなる目的は、発射体が良好な貫入角度で標的に近接することを確実なものとするような運動エネルギーロッド弾頭を提供することである。
【００１６】
本発明のさらなる目的は、ミサイルの一部としてあるいは「ヒット・トゥ・キル」飛体の一部として散開させることができるような運動エネルギーロッド弾頭を提供することである。
【００１７】
本発明のさらなる目的は、より高い確率で標的を貫通する発射体形状を持つような運動エネルギーロッド弾頭を提供することである。
【００１８】
本発明のさらなる目的は、より稠密に装填できる発射体形状を持つような運動エネルギーロッド弾頭を提供することである。
【００１９】
本発明のさらなる目的は、標的の小型爆弾および化学兵器弾頭の全てを高い確率で破壊でき、これによって被害をより完全に抑えることができる運動エネルギーロッド弾頭を提供することである。
【００２０】
本発明のさらなる目的は、兵器弾頭あるいは小型爆弾弾頭を有する弾道ミサイルに対する破壊力を向上させるような運動エネルギーロッド弾頭を提供することである。
【課題を解決するための手段】
【００２１】
本発明は、以下の認識、すなわち兵器弾頭あるいは小型爆弾弾頭のいずれかを有する弾道ミサイルを破壊する能力に優れた攻撃力の高い運動エネルギーロッド弾頭が、兵器弾頭および小型爆弾弾頭の両方を破壊するのに有効な、複数の異なるサイズの発射体を含むことによって実現できるという認識に基づくものである。
【００２２】
本発明は、複数の異なるサイズの発射体を含む発射体コアと、当該コアの周囲に設けた炸薬と、当該炸薬用の少なくとも一つの起爆装置とを備えた運動エネルギーロッド弾頭によって特徴付けられる。
【００２３】
ある実施形態では、複数の異なるサイズの発射体は、多数の小型発射体およびそれより少ない数の大型発射体を含んでいてもよい。小型発射体の数は、兵器弾頭に対する破壊力(攻撃力)が増大するよう選択できる。大型発射体の数は小型爆弾に対する破壊力(攻撃力)が増大するよう選択できる。小型発射体の数は、当該発射体の飛散パターン密度を増大させるよう選択できる。大型発射体の数は、当該発射体の飛散パターン密度を低下させるよう選択できる。小型発射体はコアの外側領域の近傍に配置でき、かつ大型発射体はコアの中心領域の近傍に配置される。複数の異なるサイズの発射体は、約７０パーセントを占める小型発射体と約３０パーセントを占める大型発射体とを具備してなることができる。各大型発射体の質量は小型発射体のそれぞれの質量よりも大きなものとすることができる。発射体の全ては十字形断面を有していてもよい。大型発射体および小型発射体は、両者間の空隙が最小となるようコア内に稠密装填されてもよい。発射体の全てはタングステンからなっていてもよい。小型発射体のそれぞれは略５０グラム未満の重量を有するものであってもよい。小型発射体のそれぞれは略２８グラムの重量を有するものであってもよい。発射体は、六角形状、円柱形断面、非円柱形断面、星形断面、平坦な端部、非平坦ノーズ、尖ったノーズ、あるいはクサビ形状を有するものであってもよい。発射体は立方体形状であってもよく、あるいは三次元的テトリス(tetris)形状を有するものであってもよい。
【００２４】
本発明はさらに、多数の小型発射体および少数の大型発射体を含む発射体コアと、当該コアの周囲に設けた炸薬と、当該炸薬用の少なくとも一つの起爆装置とを備えた運動エネルギーロッド弾頭によって特徴付けられる。
【００２５】
本発明はさらに、兵器弾頭に対する破壊力を増大させるための多数の小型発射体と小型爆弾弾頭に対する破壊力を増大させるための少数の大型発射体とを含む発射体コアと、当該コアの周囲に設けた炸薬と、当該炸薬用の少なくとも一つの起爆装置とを備えた運動エネルギーロッド弾頭によって特徴付けられる。
【００２６】
その他の目的、特徴および利点は、好ましい実施形態に関する以下の説明ならびに添付図面から当業者には明白であろう。
【発明を実施するための最良の形態】
【００２７】
上記「背景技術」において説明したように、ヒット・トゥ・キル飛体は、通常、図１の再突入体１０または他の標的の近傍位置へとミサイル１２を用いて発射される。ヒット・トゥ・キル飛体１４は操縦可能であり、しかも再突入体１０が作動不能となるようそれに一撃を加えるよう設計される。だがキル飛体１４を回避するため対抗手段が講じられることがある。矢印１６はキル飛体１４が再突入体１０を外した場合を示す。さらに生物小型爆弾および化学兵器(chemical submunition)弾頭１８が敵によって運ばれ、そしてそれら小型爆弾または化学兵器弾頭１８の一つ以上が２０で示すように生き残ることがあり、キル飛体１４が正確に標的１０を撃破しても甚大な損害を生じることがある。
【００２８】
図２を参照すると、爆裂片形成型弾頭３２はミサイルによって運ばれるよう設計され、そしてこのミサイルが敵の再突入体(ＲＶ)、ミサイル、あるいは他の標的３６の近傍位置に達したとき、弾頭の、予め細工された(pre-made)金属バンドすなわちフラグメントが爆裂させられ、金属片３４が標的３６に衝突する。だが、破片は標的を破壊するのに常に有効とは限らず、やはり生物小型爆弾(biological bomblets)および／または化学兵器弾頭が生き残り、甚大な損害を引き起こす可能性がある。
【００２９】
本発明者であるR.Lloydによる教本(「Conventional Warhead Systems Physics and Engineering Design」、Progress in Astronautics and Aeronautics(AIAA) Book Series、Vol.179、ISBN 1-56347-255-4、1998年)(この引用によって本明細書に組み込まれる)には、「ヒット・トゥ・キル」飛体および破片形成型弾頭に関するさらなる詳細が開示されている。この教本の第５章では運動エネルギーロッド弾頭が提案されている。
【００３０】
概して、(本発明に基づく)運動エネルギーロッド弾頭は、再突入体１０あるいはその他の標的に向けて長尺な円柱形発射体４０を散開させるために、キル飛体１４(図３)に付加することができる。さらに、標的３６に向けて発射体４０を散開させるために、図２に示す従来の爆裂片形成型弾頭を、運動エネルギーロッド弾頭５０(図４)で置き換えることができ、あるいは図２に示す従来の爆裂片形成型弾頭に運動エネルギーロッド弾頭５０(図４)を付加することができる。
【００３１】
理論付けされた運動エネルギーロッド弾頭の二つの主要な利点は次のようなものである。１)それは「ヒット・トゥ・キル」飛体を用いた場合のように正確なナビゲーションには依存しない。２)それは爆裂片形成型弾頭よりも侵徹性に優れる。
【００３２】
だが現在まで、運動エネルギーロッド弾頭は広く利用されることも、十分に展開されることも完全に設計されることもなかった。理論的な運動エネルギーロッド弾頭６０(図５)に関連する主要構成要素は、ハル(hull)６２、多数の個別の長尺円柱形ロッド発射体６６を含む、このハル６２内の発射体コアすなわちベイ(bay)６４、誘爆シールド６７、およびベイすなわちコア６４を取り囲むハル６２内の炸薬６８である。炸薬６６が起爆させられた際に発射体６６は矢印７０,７２,７４および７６で示すように散開させられる。
【００３３】
だが、図５では、７８で示す発射体は、特に再突入体８０に狙いがつけられていないことを、つまりそれに向けられていないことに注意されたい。また、円柱形発射体は、８４で示すように、散開時に損傷する傾向があることに留意されたい。発射体はまた、８２で示すようにその散開中に回転する傾向がある。さらに他の発射体は大きな傾斜角で標的８０に衝突するが、この角度では発射体は９０で示すように標的８０を有効に貫通しない。
【００３４】
本発明において運動エネルギーロッド弾頭は、とりわけ、炸薬が起爆させられた際に個々の発射体の向きをそろえるための手段を含み、そして発射体が回転するのを抑止しかつ確実に発射体が良好な進入侵徹角度で標的に接近するよう発射体を散開させる。
【００３５】
ある例では、個々の発射体の向きをそろえるための手段は、運動エネルギーロッド弾頭１０６のハル１０４内の炸薬１０２の長さに沿って離間した複数の起爆装置１００(通常はチップスラッパー型(chip slapper type)起爆装置)を含む(図６)。図６に示すように発射体コア１０８は、多数の別個の長尺円柱形発射体と、(この例では)発射体コア１０８を取り囲む炸薬１０２とを含む。炸薬１０２の長さに沿って離間した起爆装置１００を含むので、発射体コア１０８と炸薬１０２との間の境界において吹き飛ばし衝撃波(sweeping shock waves)の発生が防止される(さもなければ、これが個々の発射体１１０を回転させるであろう)。
【００３６】
図７に示すように、唯一つの起爆装置１１６が炸薬１１８を起爆させるのに使用される場合、吹き飛ばし衝撃波が生成されるが、これは発射体１２０を回転させる。これが生じると、発射体１２０は砕けたり、損傷したり、あるいは標的を貫通できないことがあり、これは運動エネルギーロッド弾頭の破壊力を低下させる。
【００３７】
炸薬１０８の長さに沿って離間した複数の起爆装置１００を用いることにより、吹き飛ばし衝撃波の発生が防止され、しかも個々の発射体１００は１２２で示すように回転することはない。
【００３８】
他の実施形態では、個々の発射体をそろえるための手段は、運動エネルギーロッド弾頭１４６のコア１４４内に配置された低密度材料(たとえばフォーム)構造体１４０(図９)を含むが、運動エネルギーロッド弾頭１４６はやはりハル１４８および炸薬１５０を含む。構造体１４０は孔１５２を含むが、その中には図示のとおり発射体１５６が収容される。このフォームマトリックスは、最初の散開の後、全てのロッドを一つに保持するための剛体サポートとして機能する。炸薬は、このフォームおよびロッドをＲＶまたは他の標的に向って加速させる。フォーム構造体は、短時間だけ、ロッドの整列状態を維持したままロッドを安定的に保持する。フォームによって、爆発ガスが装填されたロッドをかき分けて噴出するのが低減されるので、ロッドは整列状態のままとなる。
【００３９】
ある実施形態では、フォーム構造体１４０(図９)は、発射体の整列状態を改善するために、図６および図８の並列式起爆装置構造と組み合わされてもよい。
【００４０】
さらに他の実施形態では、その回転を阻止するべく個々の発射体を整列させるための手段は磁束圧縮器(圧縮磁束発生器)１６０および１６２を含み(図１０)、それは発射体コア１６４の各端部に一つずつ存在し、そのそれぞれは発射体を整列させるための整列磁界を形成する。各磁束圧縮器は、磁束圧縮器１６０に関して示すような磁気コア要素１６６と、コア要素１６６の周りの多数のコイル１６８と、炸薬１７０が爆発させられた際に磁気コア要素を爆縮させる炸薬１７０とを含む。磁束圧縮器の具体的な構成は当業者には公知であるから、これ以上詳しく説明しない。
【００４１】
図１１に示すように、運動エネルギーロッド弾頭１８０は、１８２および１８４で示す整列磁界を発生させる磁束圧縮器１６０および１６２と、１９４で示す発射体を整列させるために１９２で示すようにフラットな衝撃波面を形成する、炸薬１９０の長さに沿った複数の起爆装置１８６とを含む。上記のとおり、発射体の整列を助けるために、この実施形態にフォーム構造体１４０を組み込むこともできる。
【００４２】
図１２において、運動エネルギーロッド弾頭２００は、多数のセクション２０２,２０４,２０６および２０８に分割された炸薬を備える。シールド、たとえばシールド２２５が炸薬セクション２０４および２０６を分離させる。シールド２２５は、たとえば内側レキセイン(lexan)(商標)層と外側レキセイン層との間にスチールコアを挟みこんだような複合材料から形成されてもよく、これはある炸薬セクションの起爆が他の炸薬セクションを起爆させるのを抑止する。起爆コードはハルセクション２１０,２１２および２１４間に存在するが、このそれぞれは射出炸薬パック２２０,２２４および２２６を有する。高密度タングステンロッド２１６が図示のとおり、コアすなわち弾頭２００のベイ内に存在している。ロッド２１６の全てを特定の方向に向けるために、したがって図５に７８で示すような状況を回避するために、図１３および図１４に示すように射出炸薬パック２２０,２２２および２２４と同様にハルセクション２１０,２１２および２１４のそれぞれの側の起爆コードが起爆させられ、発射体２１６の意図した運動方向から離れるようハルセクション２１０,２１２および２１４が射出される。続いては炸薬セクション２０２(図１４)が、図６および図８を参照して説明したように多数の起爆装置を用いて、図１５に示すように標的の方向に発射体２１６を散開(飛散)させるために、図１５に示すように起爆させられる。したがって、一つ以上の炸薬セクションを選択的に起爆させることによって、発射体は、図６および図８および／または図９および／または図１０に示しかつそれを参照して説明した整列構造体を用いて整列させられることに加えて、特に標的に標準が定められる。
【００４３】
さらに、図１２〜図１５に示す構造は、発射体の飛散パターンを制御するのに役立つ。ある実施形態では、本発明の運動エネルギーロッド弾頭は、図１２〜図１５に示す照準技術に加えて、図６および図８〜図１０に示す整列技術の全てを利用する。
【００４４】
通常、図６〜図９および図１２〜図１５に関して言及したハル部分は、ミサイルの外皮(図４参照)または「ヒット・トゥ・キル」飛体に対して付加された部分(図３参照)のいずれかである。本発明の運動エネルギーロッド弾頭に利用される脆弱外皮のさらなる詳細について以下で説明する。
【００４５】
ここまでは、発射体すなわちロッドコアの外面を取り囲むように配置された炸薬を示した。だが、他の例では、炸薬２３０(図１６)はハル２３４内のロッドコア２３２の内部に配置される。さらに、コア２３２と炸薬２３０との間に低密度素材(たとえばフォーム)緩衝体２３６を介在させることができ、これによって炸薬２３０が起爆させられた際に発射体ロッドの損傷が防止される。
【００４６】
ここまでは、本明細書に開示したロッドおよび発射体を、たとえばタングステンからなると共に両端部が平坦な長尺円柱形部材として図示してきた。だが、他の例では、ロッドは非円柱形断面および非平坦ノーズを有する。図１７〜図２４に示すように、これらそれぞれ異なるロッド形状により、強度の増大、重量の軽減および装填効率の向上が図れる。これはまた、跳弾して標的を外す可能性を低減させ、特に上述した整列および照準手法と共に使用された場合に標的貫通能力を向上させる。
【００４７】
通常、好ましい発射体は円柱形断面を持たず、その代わりに星形断面、十字形断面などを有することができる。また、発射体は尖ったノーズ、あるいはクサビ形ノーズのような少なくとも非平坦なノーズを有することができる。発射体２４０(図１７)は尖ったノーズを有し、一方、発射体２４２(図１８)は星形ノーズを有する。他の発射体形状には、図１９に２４４で示すもの(星形の尖ったノーズ)、発射体２４６(図２０)、発射体２４８(図２１)、および発射体２５０(図２２)がある。発射体２５２(図２３)は、星形断面、尖ったノーズ、そして平坦な遠位端部を有する。これら特別な形状とされた発射体に係る装填効率の向上は図２４に示すとおりであり、この場合、これまで円柱形状を備えた９個のペネトレータすなわち発射体が占有していた同じスペース内に、１６個の星形発射体を装填できる。
【００４８】
ここまでは、発射体が１組だけ存在すると仮定していた。だが、他の実施形態では、発射体コアは複数のベイ３００および３０２に分割される(図２５)。やはり、この実施形態も、図６および図８ないし図２４に示す実施形態と組み合わせることができる。図２６および図２７においては、８個の発射体ベイ３１０〜３２４、および均一な飛散パターンを実現するために異なる速度で全てのベイのロッドを散開させるコア成形炸薬３２８が存在する。さらに、図２６にはクサビ形状炸薬セクション３３０を示すが、これは発射体コア３３２に隣接する幅狭近位面３３４と、運動エネルギーロッド弾頭のハルに隣接する幅広遠位面３３６とを有する。遠位面３３６は、運動エネルギーロッド弾頭の重量を低減するために、３３８および３４０で示すようにテーパーが付けられている。
【００４９】
ある試験例では、発射体コアは、六角形状のタングステン製発射体４０６の三つのベイ４００,４０２および４０４(図２８)を含むものである。図１７〜図２４に示すその他の発射体形状もまた利用可能である。各ベイは、ベイ４００に関して示すように繊維ガラスラップ４０８によって一つに保持されている。ベイ４００,４０２および４０４は、スチール製エンドプレート４１０の上に載っている。緩衝体４０７がロッドコアの周りに装着される。この緩衝体は外側のロッドに対して作用する爆発エッジ効果を低減する。縁部ロッドに作用するエネルギーを低減することで、それは爆発衝撃波による飛散角を小さなものとする。
【００５０】
続いて、炸薬セクション４１２,４１４,４１６および４１８(図２９)が、発射体コアの周囲でエンドプレート４１０上に配置される。したがって、この試験例における発射体の主要な発射方向は矢印４２０に沿ったものである。粘土セクション４２２,４２４,４２６および４２８は、配備された弾頭において使用されるであろう付加的炸薬セクションを模したものである。各炸薬セクション同士の間には誘爆シールド４３０が存在するが、これは、通常、レキセイン(Lexan)層４３４および４３６と、その間に挟み込まれたスチール層４３２とを具備してなる。各炸薬セクションは図示するとおりクサビ形状であり、発射体コアに隣接する炸薬セクション４１２の近位面４４０、および重量を軽減するために４４４および４４６で示すようにテーパーが付けられた遠位面４４２を有する。
【００５１】
上面エンドプレート４３１(図３０)によってアセンブリは完成となる。エンドプレート４１０および４３１はまたアルミニウムから形成できる。発射体ロッド４０６の総重量は６５ポンドであり、Ｃ４炸薬セクション４１２,４１４,４１６および４１８の重量は１０ポンドであった。各ロッドは３５グラムの重量があり、かつ長さ対直径比は４である。各ベイには２７１本のロッドが装填され、全部で８２３本のロッドが存在する。アセンブリの総重量は３０.１１８ポンドであった。
【００５２】
図３１には、試験発射(点火)の直前に、４５０で示す起爆装置を取り付けた状態を示す。一つの炸薬セクション当り一つの起爆装置が設けられ、全ての起爆装置は同時に点火された。図３２および図３３には試験発射後の結果を示す。個々の発射体は図３２に示すように試験面４５２に衝突し、ある回収された発射体の状況は図３３に示すようなものであった。
【００５３】
起爆装置が炸薬セクションを起爆させた際に発射体の散開角を減少させ、これによってある例ではより大きな破壊力のために有用な、より密な飛散パターンを実現するために、いくつかの付加的な構造体が図３４の改変型弾頭には付加されている。
【００５４】
発射体４０６の散開角を減少させる一つの手法は、炸薬セクションとコアとの間に緩衝体５００を付加することである。緩衝体５００は好ましくはポリフォームからなる厚さ１／２インチの薄い層であり、それはまた好ましくはコアを越えてプレート４３０および４１２まで延在している。緩衝体５００は散開中の爆発衝撃波のエッジ効果を低減し、この結果、個々のロッドはエッジ効果にさらされることはない。
【００５５】
ロッドの散開角を低減させるための他の手段は、やはり図３５に示すポリフォーム緩衝ディスク５１０を付加することである。このディスクは、通常、１／８インチの厚みを有し、かつロッドコアのガタツキ音あるいは衝撃相互作用を低減するために、図示のとおり、各エンドプレートとコアとの間に、そして各コアベイ間に配置される。
【００５６】
モーメンタムトラップ５２０および５２２は、好ましくは、各エンドプレート４１０および４３０の外面に設けられた薄いガラスの層である。また、各エンドプレートとコアとの間の薄いアルミニウム緩和層５３０および５３２がエッジ効果を緩和するのを助け、したがってそれは、ロッドの飛散パターンを密なものとするためのさらなる手段を形成する。
【００５７】
ある例では、選ばれたロッド４０６ａ,４０６ｂ,４０６ｃおよび４０６ｄは全てのベイを貫いて連続的に延在しており、これによって残りのロッドの収束が促進され、そして全てのロッドの散開角が低減される。他の工夫はカプセル化物５４０を付加することであり、これはロッド４０６間の空隙に充填される(図３６)。このカプセル化物は、ガラスおよび／または各ロッドを覆うグリースであってもよい。好ましくは、各炸薬セクション用の複数の離間した起爆装置４５０ａ,４５０ｂおよび４５０ｃ(図３２)が存在し、各起爆装置は、通常、ベイ４００,４０２および４０４とそれぞれ整列しており、これによってよりフラットな爆発波面(explosive front)が実現され、かつロッド４０６の散開角がさらに低減される。他の起爆技術が、ロッドに対する穏やかな推進力を発生させることによってエッジ効果を低減するのに使用できる。この技術的思想は逆向き起爆を利用するが、この場合には、複数の起爆装置４５０ａ',４５０ｂ'および４５０ｃ'は、外側炸薬上のその従来の位置から緩衝体５００近傍の内側基底まで移動させられる。炸薬起爆装置は炸薬／フォーム境界面に介在させられるが、これはロッドコアから離れるように移動するフラットな衝撃波を発生させる。この起爆ロジックはロッドコアに対する穏やかな推進力を発生させ、全ての横方向エッジ効果を低減させる。
【００５８】
別の工夫は、選ばれた位置で、あるいは全てのロッドに関してさえ、ロッド４０６ｅを使用することである(図３７)。ロッド４０６ｅは、全てのベイを貫通して延在するが、直径が減じられた脆弱部分５６０および５６２をベイの交点に備え、この部分は散開時に破断して、ロッド４０６ｅを三つの別個の部分５６４,５６６および５６８へと分離させる。
【００５９】
起爆装置が炸薬セクションを起爆させた際には、ロッドすなわち発射体の散開角を減少させるための上記の代表的な構造的手段の全て、選択されたいくつか、あるいはたった一つによってさえ、より密な、より収束したロッド飛散パターンが実現される。また、図６ないし図１１を参照して先に説明した発射体を整列させるための手段および／または図１２ないし図１５を参照して先に説明した発射体の照準を定めるための手段は、本発明による図３４および図３５に示す弾頭構造と組み合わせることができる。
【００６０】
好ましい実施形態では、本発明の運動エネルギーロッド弾頭は、複数の異なるサイズの発射体を含むが、これは兵器(子弾：submunition)弾頭あるいは小型爆弾弾頭を有する弾道ミサイルに対して有効である。異なるサイズの発射体は、通常、多数の小型発射体(これは兵器弾頭を破壊するのに有効である)と、少数の大型の、通常はより重い発射体(これは小型爆弾弾頭を破壊するのに有効である)とを含む。
【００６１】
たとえば、運動エネルギーロッド弾頭６００(図３８)は、複数の異なるサイズの発射体６０４を含む発射体コア６０２を有する。発射体は、多数の小型発射体６０６と、少数の大型発射体６０８とを有するのが理想である。大型発射体は通常は小型発射体よりも重く、小型発射体が約２８.６ｇであるのに対して通常は約１１３.７ｇの重量がある。弾頭６００はまた、多数のセクション６１０,６１２,６１４,６１６,６１８,６２０,６２２および６２４へと分割された炸薬を有する。シールド(たとえばシールド６２６)が炸薬セクション６１０および６１２を区画している。弾頭６００はまた、複数の起爆装置、たとえば起爆装置６２８,６３０,６３２,６３４,６３６,６３８,６４０および６４２を含む。選択された起爆装置６２８〜６４０(通常はチップスラッパー型起爆装置)が選択された炸薬セクション６１０〜６２４を起爆させ、そして複数の異なるサイズの発射体を散開させるのに使用される。発射体の整列状態を改善するために、コア６０２を取り囲むフォーム体６０３(上述したフォーム体１４０(図９)と同じようなもの)を採用してもよい(図３８)。小型発射体６０６は兵器弾頭を有する弾道ミサイルを破壊するのに有効であり、そして大型の、より重い発射体６０８は小型爆弾弾頭を破壊するのに有効である。結果として、本発明の運動エネルギーロッド弾頭６００は、以下でさらに詳しく説明するように、兵器弾頭または小型爆弾弾頭のいずれかを有する弾道ミサイルを効果的に破壊する。
【００６２】
図３９(同じ部材には同じ数字を付している)には、小型発射体６０６および大型発射体６０８を含む発射体コア６０２を拡大して示す。この例では、全ての発射体は十字形断面を有している。発射体はまた、立方体形状発射体(たとえば立方体形状発射体６５２)およびテトリス形状発射体(たとえばテトリス形状発射体６５４)を含んでいてもよい。
【００６３】
通常、小型発射体６０６はコア６０２の外側領域８０２近傍に配置され、一方、大型発射体６０８はコア６０２の中心領域８０４近傍に配置される。
【００６４】
ある設計では、発射体は、約７０％の小型発射体６０６と、約３０％の大型発射体６０８とを含む。大型発射体６０８のそれぞれの質量は、通常、小型発射体６０６のそれぞれの質量よりも大きなものである。ある例では、コア６０２内の各小型発射体６０６の質量は約２８グラムであり、大型発射体６０８のそれぞれの質量は約１１４グラムである。複数の異なるサイズの発射体は、タングステンまたは類似の材料から形成できる。
【００６５】
多数の小型発射体が、兵器弾頭を有する弾道ミサイルに対してより有効であることを示すシミュレーションは図４０のとおりである。この例では、小型発射体、たとえば１２８個の発射体(７５８で示す)は、７６０によって指し示す破壊された兵器(子弾)によって示すように、兵器弾頭を破壊するのに有効である。対照的に、より少数の発射体が、たとえば３２個の発射体(７６２で示す)が散開させられたとき、７６４で指し示す破壊された兵器(子弾)によって示すように、破壊された兵器はより少数であった。四つの大型発射体(７６６で示す)が散開させられたときには、７６８で示すように三つの兵器(子弾)しか破壊されなかった。兵器(子弾)弾頭７７２に衝突する多数の小型発射体すなわちロッドをまた７７０で示す。７７４で示すように、多数の小型発射体すなわちロッドは兵器弾頭７７２に相当なダメージをもたらした。対照的に、少数の大型発射体(７７６で示す)が兵器弾頭７７２に対して散開させられたときには、７７８で示すように、最小限のダメージしか兵器弾頭７７２には生じなかった。
【００６６】
図４１は、少数の大型で重い発射体が、小型爆弾弾頭を有する弾道ミサイルに対して非常に有効であることを示すシミュレーションに関するものである。この例では、７８０で示す少数の大型発射体(たとえばそれぞれ約２２７３グラムの重量を有する四つの、より重い発射体すなわちロッド)が散開させられたとき、この大型発射体は小型爆弾弾頭７８２を貫通し、そして破壊された小型爆弾７８４によって示すように、その内部のほとんど全ての小型爆弾を破壊した。だが、７８４で示すように、多数のロッド(たとえばそれぞれ約２７６グラムの重量を有する１２８個のロッド)を使用した場合、生き残った小型爆弾７８８によって示すように、多数の小型発射体すなわちロッドは後方の小型爆弾を破壊しなかった。さらに多数の小型発射体すなわちロッド(たとえばそれぞれ約３１グラムの重量を有する１０２４個のロッド)が、７９０で示すように散開させられたとき、生き残った小型爆弾７９２によって示すように、後方の小型爆弾のかなりの部分は破壊されなかった。したがって、少数の大きくて重いペネトレータが、小型爆弾弾頭を有する弾道ミサイルを破壊するのに一層有効である。
【００６７】
本発明の運動エネルギーロッド弾頭６００(図３８)は多数の小さな発射体および少数の大きくて重い発射体すなわちロッドの両方を同時に散開させるので、弾頭６００は兵器(子弾)弾頭および／または小型爆弾弾頭を有する弾道ミサイルを効果的に破壊する。
【００６８】
上述したように、理想を言えば、異なるサイズのロッドは十字形断面を有する。十字形ロッドによって、発射体同士の間に最小限の空隙しか必要とせずに、コア６０２内に発射体を緊密装填することが可能となる。十字形断面形状の発射体を緊密に装填することによって、円柱形ロッドよりも多数の発射体をコア６０２内に装填することが可能となる。たとえば、図４２Ａに示すように、十字形状ロッド６６０の緊密装填によって、約８０個の発射体を装填発射体コア(パック型発射体コア)６０２とすることが可能となる。対照的に、円柱形ロッド６６２(図４２Ｂ)では、約５６個のロッドすなわち発射体しかコア６０２内には装填できない。十字形状ロッドは、図４２Ｃに示すように、さらに一層緊密に装填可能であり、この例では１１３個の十字形発射体６６２がコア６０２内に装填されている。コア６０２内に装填できる発射体の数がより多くなると、敵目標に対する、より高い飛散パターン密度を実現できる。この例では、大型十字形ロッド６６０は約０.７５インチの直径を有しかつそれぞれの重量は約３４.４グラムであり、そして十字形状ロッド６６２は約０.３７５インチの直径を有しかつそれぞれの重量は約２５.２グラムである。さらに、十字形発射体すなわちペネトレータの使用はバルクすなわち液体充填タンクに有効であり、なぜなら、それは、液圧ラム効果を引き起こす運動エネルギーの伝達を向上させるからである。この作用は、タンク壁に副次的爆発力をもたらす発射体抗力を伴う高い衝撃圧力によって引き起こされる。
【００６９】
上述したとおり、好ましい発射体は円柱形断面を持たず、その替わりに十字形断面を有する。また、発射体は尖ったノーズあるいは少なくとも非平坦なノーズ(たとえばクサビ形状ノーズ)を有していてもよい。発射体２４０(図１７)は尖ったノーズ(尖頭)を有し、一方、発射体２４２(図１８)は星形ノーズを有する。他の発射体形状には、図１９に２４４で示すもの(星形尖頭)、発射体２４６(図２０)、発射体２４８(図２１)、および発射体２５０(図２２)がある。発射体２５２(図２３)は、星形断面、尖ったノーズ、そして平坦な遠位端部を有する。これら特別な形状の発射体の装填効率の向上は図２４に示すとおりであるが、この場合には、これまで円柱形状を有する９個のペネトレータすなわち発射体によって占有されていた同一の空間内に１６個の星形発射体を装填できる。発射体すなわちロッドはまた、図４３Ａに示すように、キューブ(立方体)形状であってもよい。このキューブ形状によっても、図４３Ｂに示すように稠密装填密度が得られる。通常、各キューブは約５０グラムの質量を有し、そして約４８個のキューブをコア６０２内に装填可能である。複数の発射体は、図４４Ａに示すように三次元的テトリス(tetris)形状であってもよい。このテトリス形状ロッドはまた、図４４Ｂに示すように、コア６０２内の稠密装填密度を実現する。
【００７０】
各図に本発明の具体的特徴を示したが、これは便宜的なものであり、各特徴は本発明による他の特徴のいずれかまたは全てと組み合わせることができる。ここで使用した「含む」、「具備する」、「有する」および「備える」という語は、広くかつ包括的に解釈されるべきであり、何らかの物理的相互接続に限定するものではない。さらに本願に開示した実施形態は唯一可能な実施形態として理解されるべきではない。
【００７１】
他の実施形態は当業者に明白であり、それも特許請求の範囲内のものである。
【図面の簡単な説明】
【００７２】
【図１】従来技術による「ヒット・トゥ・キル」飛体の典型的な散開を示す概略図である。
【図２】従来の爆裂片形成型弾頭の典型的な散開を示す概略図である。
【図３】本発明に基づく、「ヒット・トゥ・キル」飛体に組み込まれた運動エネルギーロッド弾頭システムの散開を示す概略図である。
【図４】本発明に基づく、爆裂片形成型弾頭に代わる運動エネルギーロッド弾頭の散開を示す概略図である。
【図５】本発明に基づく、標的に対する運動エネルギーロッド弾頭の発射体の散開を示す詳細図である。
【図６】本発明の運動エネルギーロッド弾頭システムの一実施形態を、その一部を切り欠いた状態で示す斜視図である。
【図７】従来型の運動エネルギーロッド弾頭構造による、回転する発射体を示す概略断面図である。
【図８】本発明に基づく、複数の起爆装置の使用がどのようにして発射体を整列させてその回転を抑えるかを示す別な概略断面図である。
【図９】本発明に基づく発射体を整列させるために利用される運動エネルギーロッド弾頭コア本体の使用法を示す分解斜視図である。
【図１０】本発明に基づく運動エネルギーロッド弾頭の発射体を整列させるために利用される磁束圧縮器の使用法を示す概略破断面図である。
【図１１】本発明に基づく運動エネルギーロッド弾頭の発射体を整列させるために利用される磁束圧縮器の使用法を示す概略破断面図である。
【図１２】本発明に基づいて、本発明の運動エネルギーロッド弾頭の発射体がどのようにして特定の方向に照準が定められるかを示す概略斜視図である。
【図１３】本発明に基づいて、本発明の運動エネルギーロッド弾頭の発射体がどのようにして特定の方向に照準が定められるかを示す概略斜視図である。
【図１４】本発明に基づいて、本発明の運動エネルギーロッド弾頭の発射体がどのようにして特定の方向に照準が定められるかを示す概略斜視図である。
【図１５】本発明に基づいて、本発明の運動エネルギーロッド弾頭の発射体がどのようにして特定の方向に照準が定められるかを示す概略斜視図である。
【図１６】本発明の運動エネルギーロッド弾頭の他の実施形態を示す概略斜視図である。
【図１７】本発明の運動エネルギーロッド弾頭に関して有用な発射体の一形状を示す斜視図である。
【図１８】本発明の運動エネルギーロッド弾頭に関して有用な発射体の一形状を示す斜視図である。
【図１９】本発明の運動エネルギーロッド弾頭に関して有用な発射体の一形状を示す斜視図である。
【図２０】本発明の運動エネルギーロッド弾頭に関して有用な発射体の一形状を示す斜視図である。
【図２１】本発明の運動エネルギーロッド弾頭に関して有用な発射体の一形状を示す斜視図である。
【図２２】本発明の運動エネルギーロッド弾頭に関して有用な発射体の一形状を示す斜視図である。
【図２３】本発明の運動エネルギーロッド弾頭に関して有用な発射体の一形状を示す斜視図である。
【図２４】本発明に基づく多数の星形発射体およびそれを用いて実現されたより高い装填密度を示す端面図である。
【図２５】本発明の運動エネルギーロッド弾頭システムの他の実施形態を、その一部を切り欠いた状態で示す別な概略斜視図であり、このものには多数の発射体ベイが存在している。
【図２６】本発明の運動エネルギーロッド弾頭システムの一実施形態を示す別な概略斜視図であり、このものでは爆発コアはクサビ形状を有し、本発明に基づく均一な発射体飛散パターンを実現するようになっている。
【図２７】図２６に示す運動エネルギーロッド弾頭システムに関して、クサビ形状爆発コアおよびそれに隣接する発射体のベイを示す断面図である。
【図２８】三つの別個のロッドベイを備えた、本発明に基づく、運動エネルギーロッド弾頭の試験バージョンの概略図である。
【図２９】炸薬セクションを付加した状態での、図２８の弾頭の概略図である。
【図３０】上端プレートを付加した状態での、図２８および図２９に示すロッド弾頭の概略図である。
【図３１】試験点火直前の、図３０の運動エネルギーロッド弾頭の概略図である。
【図３２】図３１に示す弾頭の試験点火後の個々のロッドの衝突結果を示す概略図である。
【図３３】試験点火後のさまざまな個々のペネトレータロッドを示す概略図である。
【図３４】本発明に基づく、狭い散開角を持つ運動エネルギー弾頭の概略断面図である。
【図３５】本発明に基づいて、ロッドの散開角を狭くするための、発射体の個々のベイ間での緩衡ディスクの利用を示す分解図である。
【図３６】本発明に基づいて、散開角を狭くするための、個々のペネトレータ周りでのガラスフィラーの利用を示す概略図である。
【図３７】二つの脆弱部分を含む、本発明に基づく、異なるタイプの発射体を示す概略斜視図である。
【図３８】本発明に基づく複数の異なるサイズの発射体を採用した運動エネルギーロッド弾頭の概略斜視図である。
【図３９】図３８に示す、異なるサイズの発射体の一例をさらに詳しく示す概略断面図である。
【図４０】多数の小型発射体が兵器弾頭を備えた弾道ミサイルに対して、より有効であることを示す概略斜視図である。
【図４１】少数の大型発射体が小型爆弾弾頭を備えた弾道ミサイルに対して、より有効であることを示す概略斜視図である。
【図４２Ａ】本発明に基づく十字形発射体の装填密度を示す概略側面図である。
【図４２Ｂ】本発明に基づく円柱形発射体の装填密度を示す概略側面図である。
【図４２Ｃ】本発明に基づく十字形発射体の装填密度を示す概略側面図である。
【図４３Ａ】本発明に基づく立方体形状発射体の概略斜視図である。
【図４３Ｂ】図４３Ａに示す立方体形状発射体の装填密度を示す概略側面図である。
【図４４Ａ】本発明に基づくテトリス(tetris)形状発射体の斜視図である。
【図４４Ｂ】図４４Ａに示すテトリス(tetris)形状発射体の装填密度を示す概略断面図である。
【符号の説明】
【００７３】
１０  再突入体(標的)
１２  ミサイル
１４  ヒット・トゥ・キル飛体
１８  弾頭
３２  爆裂片形成型弾頭
３４  金属片
３６  標的
４０  円柱形発射体
５０,６０  運動エネルギーロッド弾頭
６２  ハル
６４  ベイ(コア)
６６  発射体
６７  誘爆シールド
６８  炸薬
７８  発射体
８０  再突入体(標的)
１００  起爆装置
１０２  炸薬
１０４  ハル
１０６  運動エネルギーロッド弾頭
１０８  発射体コア
１１０  発射体
１１６  起爆装置
１１８  炸薬
１２０  発射体
１４０  低密度材料構造体(フォーム構造体)
１４４  コア
１４６  運動エネルギーロッド弾頭
１４８  ハル
１５０  炸薬
１５２  孔
１５６  発射体
１６０,１６２  磁束圧縮器
１６４  発射体コア
１６６  磁気コア要素
１６８  コイル
１７０  炸薬
１８０  運動エネルギーロッド弾頭
１８６  起爆装置
１９０  炸薬
１９４  発射体
２００  運動エネルギーロッド弾頭
２０２〜２０８  炸薬セクション
２１０〜２１４  ハルセクション
２１６  発射体(ロッド)
２２０〜２２６  射出炸薬パック
２２５  シールド
２３０  炸薬
２３２  ロッドコア
２３４  ハル
２３６  低密度素材緩衝体
２４０〜２５２  発射体
３００,３０２  ベイ
３１０〜３２４  発射体ベイ
３２８  コア成形炸薬
３３０  クサビ形状炸薬セクション
３３２  発射体コア
３３４  幅狭近位面
３３６  幅広遠位面
４００〜４０４  ベイ
４０６,４０６ａ〜４０６ｅ  発射体(ロッド)
４０７  緩衝体
４０８  繊維ガラスラップ
４１０  エンドプレート
４１２〜４１８  炸薬セクション
４２２〜４２８  粘土セクション
４３０  誘爆シールド
４３１  上面エンドプレート
４３２  スチール層
４３４,４３６  レキセイン層
４４０  近位面
４４２  遠位面
４５０,４５０ａ〜４５０ｃ,４５０ａ'〜４５０ｃ'  起爆装置
４５２  試験面
５００  緩衝体
５１０  ポリフォーム緩衝ディスク
５２０,５２２  モーメンタムトラップ
５３０,５３２  アルミニウム緩和層
５４０  カプセル化物
５６０,５６２  脆弱部分
６００  運動エネルギーロッド弾頭
６０２  発射体コア
６０３  フォーム体
６０４〜６０８  発射体
６１０〜６２４  炸薬セクション
６２６  シールド
６２８〜６４２  起爆装置
６５２,６５４  発射体
６６０,６６２  ロッド
７５８  発射体
７６０  破壊された兵器(子弾)
７６２  発射体
７６４  破壊された兵器(子弾)
７６６,７７０  発射体
７７２  兵器(子弾)弾頭
７８０  発射体
７８２  小型爆弾弾頭
７８４  小型爆弾
７８８,７９２  生き残った小型爆弾
【図１】
2008512642.tif 000003
【図２】
2008512642.tif 000004
【図３】
2008512642.tif 000005
【図４】
2008512642.tif 000006
【図５】
2008512642.tif 000007
【図６】
2008512642.tif 000008
【図７】
2008512642.tif 000009
【図８】
2008512642.tif 000010
【図９】
2008512642.tif 000011
【図１０】
2008512642.tif 000012
【図１１】
2008512642.tif 000013
【図１２】
2008512642.tif 000014
【図１３】
2008512642.tif 000015
【図１４】
2008512642.tif 000016
【図１５】
2008512642.tif 000017
【図１６】
2008512642.tif 000018
【図１７】
2008512642.tif 000019
【図１８】
2008512642.tif 000020
【図１９】
2008512642.tif 000021
【図２０】
2008512642.tif 000022
【図２１】
2008512642.tif 000023
【図２２】
2008512642.tif 000024
【図２３】
2008512642.tif 000025
【図２４】
2008512642.tif 000026
【図２５】
2008512642.tif 000027
【図２６】
2008512642.tif 000028
【図２７】
2008512642.tif 000029
【図２８】
2008512642.tif 000030
【図２９】
2008512642.tif 000031
【図３０】
2008512642.tif 000032
【図３１】
2008512642.tif 000033
【図３２】
2008512642.tif 000034
【図３３】
2008512642.tif 000035
【図３４】
2008512642.tif 000036
【図３５】
2008512642.tif 000037
【図３６】
2008512642.tif 000038
【図３７】
2008512642.tif 000039
【図３８】
2008512642.tif 000040
【図３９】
2008512642.tif 000041
【図４０】
2008512642.tif 000042
【図４１】
2008512642.tif 000043
【図４２Ａ】
2008512642.tif 000044
【図４２Ｂ】
2008512642.tif 000045
【図４２Ｃ】
2008512642.tif 000046
【図４３Ａ】
2008512642.tif 000047
【図４３Ｂ】
2008512642.tif 000048
【国際調査報告】
2008512642.tif 000049